(57)【要約】【課題】  後処理が適用される印刷物とは別にニアラインフィニッシャに設定すべき情報が印刷された紙（ジョブ情報シート）が印刷されることにより、顧客からのオーダーに基づく印刷物が影響を受け、顧客が所望とする印刷物を出力できないおそれがあった。【解決手段】  第１印刷ジョブの１ページ目の印刷に使用する紙がタブ紙でなければ、当該１ページ目の印刷に使用する紙と同じサイズの紙をジョブ情報シートのために使用し、第１印刷ジョブの１ページ目の印刷に使用する紙がタブ紙であれば、当該１ページ目の印刷に使用するタブ紙に基づいて決定されたサイズのタブ紙と異なる種類の紙をジョブ情報シートのために使用する。【選択図】  図１２
2010277148.tif 000002
【特許請求の範囲】
【請求項１】
本文を含む印刷物を印刷するための第１印刷ジョブを生成する第１の生成手段と、
前記第１印刷ジョブの１ページ目の印刷に使用する紙がタブ紙でなければ、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙がタブ紙であれば、当該１ページ目の印刷に使用するタブ紙のサイズに基づいて決定されたサイズの前記タブ紙とは異なる種類の紙に前記関連情報を印刷する第２印刷ジョブを生成する第２の生成手段を備えることを特徴とする情報処理装置。
【請求項２】
前記第２の生成手段は、前記第１印刷ジョブの１ページ目に印刷されるべきオブジェクトを前記関連情報と共に印刷するための第２印刷ジョブを生成することを特徴とする請求項１に記載の情報処理装置。
【請求項３】
前記第２の生成手段は、前記第１印刷ジョブの１ページ目が印刷されるオブジェクトを含まない場合、前記第１印刷ジョブの他のページにおける印刷されるべきオブジェクトを前記関連情報と共に印刷するための第２印刷ジョブを生成することを特徴とする請求項２に記載の情報処理装置。
【請求項４】
前記オブジェクトは、文字または画像であることを特徴とする請求項２または３に記載の情報処理装置。
【請求項５】
前記第２の生成手段は、前記第１印刷ジョブの１ページ目の印刷に使用する紙がタブ紙であれば、前記タブ紙のサイズに基づいて決定されたサイズの普通紙に前記関連情報を印刷するための前記第２印刷ジョブを生成することを特徴とする請求項１乃至４のいずれか１項に記載の情報処理装置。
【請求項６】
前記第２の生成手段は、前記第１印刷ジョブの１ページ目の印刷に使用する紙が厚紙のタブ紙であれば、前記タブ紙のサイズに基づいて決定されたサイズの厚紙に前記関連情報を印刷するための前記第２印刷ジョブを生成することを特徴とする請求項５に記載の情報処理装置。
【請求項７】
本文を含む印刷物を印刷するための第１印刷ジョブを生成する第１の生成手段と、
前記第１印刷ジョブの１ページ目の印刷に使用する紙が順番に使用する異なる複数の紙で構成された用紙組の１つでない場合、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙が順番に使用する異なる複数の紙で構成された用紙組の１つである場合、当該１ページ目の印刷に使用する紙のサイズに基づいて決定されたサイズの前記１ページ目に使用する紙とは異なる種類の紙に前記関連情報を印刷する第２印刷ジョブを生成する第２の生成手段を備えることを特徴とする情報処理装置。
【請求項８】
前記用紙組は、タブ位置の異なる複数のタブ紙で構成されることを特徴とする請求項７に記載の情報処理装置。
【請求項９】
本文を含む印刷物を印刷するための第１印刷ジョブを生成する第１の生成工程と、
前記第１印刷ジョブの１ページ目の印刷に使用する紙がタブ紙でなければ、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙がタブ紙であれば、当該１ページ目の印刷に使用するタブ紙のサイズに基づいて決定されたサイズの前記タブ紙とは異なる種類の紙に前記関連情報を印刷する第２印刷ジョブを生成する第２の生成工程を備えることを特徴とする制御方法。
【請求項１０】
本文を含む印刷物を印刷するための第１印刷ジョブを生成する第１の生成工程と、
前記第１印刷ジョブの１ページ目の印刷に使用する紙が順番に使用する異なる複数の紙で構成された用紙組の１つでない場合、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙が順番に使用する異なる複数の紙で構成された用紙組の１つである場合、当該１ページ目の印刷に使用する紙のサイズに基づいて決定されたサイズの前記１ページ目に使用する紙とは異なる種類の紙に前記関連情報を印刷する第２印刷ジョブを生成する第２の生成工程を備えることを特徴とする制御方法。
【請求項１１】
本文を含む印刷物を印刷するための第１印刷ジョブを生成する第１の生成工程と、
前記第１印刷ジョブの１ページ目の印刷に使用する紙がタブ紙でなければ、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙がタブ紙であれば、当該１ページ目の印刷に使用するタブ紙のサイズに基づいて決定されたサイズの前記タブ紙とは異なる種類の紙に前記関連情報を印刷する第２印刷ジョブを生成する第２の生成工程をコンピュータに実行させるための当該コンピュータが読み取り可能な制御プログラム。
【請求項１２】
本文を含む印刷物を印刷するための第１印刷ジョブを生成する第１の生成工程と、
前記第１印刷ジョブの１ページ目の印刷に使用する紙が順番に使用する異なる複数の紙で構成された用紙組の１つでない場合、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙が順番に使用する異なる複数の紙で構成された用紙組の１つである場合、当該１ページ目の印刷に使用する紙のサイズに基づいて決定されたサイズの前記１ページ目に使用する紙とは異なる種類の紙に前記関連情報を印刷する第２印刷ジョブを生成する第２の生成工程をコンピュータに実行させるための当該コンピュータが読み取り可能な制御プログラム。
【発明の詳細な説明】
【技術分野】
【０００１】
本発明は製本アプリケーションのニアラインフィニッシャを用いた印刷などにおいて、製本アプリケーションがジョブ情報シートを作成する際の印刷設定に関するものである。
【背景技術】
【０００２】
従来、顧客からの印刷物（雑誌、新聞、カタログ、広告等）のオーダーを受注し、デジタル複写機等の印刷装置を利用して電子データから印刷物を生成するＰＯＤ（Ｐｒｉｎｔ  Ｏｎ  Ｄｅｍａｎｄ）市場がある。ＰＯＤ市場の印刷物には製本や断裁、折りといった処理が適用された出力物が要求されることが多い。このような複雑な出力物を生成するために、プリンタにより出力された印刷物を加工するフィニッシング機器が使用される。フィニッシング機器は印刷物を給紙すると、折りや断裁、製本処理を実行する。このようなフィニッシング専用の機器をＰＯＤ市場ではオフラインフィニッシャと呼ぶ。また、印刷機やパソコンとネットワークで通信できるものをニアラインフィニッシャと呼ぶ。
【０００３】
ニアラインフィニッシャを用いた出力物の作成において、印刷済みの用紙にどのような後処理を実行するかを正確に指示することが重要である。プリンタから出力された印刷物はオペレータ（人）によりニアラインフィニッシャにセットされる。ここで誤って印刷物がセットされる問題点や後処理の設定ミスという問題点を防止するために、後処理が適用される印刷物とは別にニアラインフィニッシャに設定すべき情報が印刷された紙（ジョブ情報シート）を出力する技術が特許文献１に開示されている。
【先行技術文献】
【特許文献】
【０００４】
【特許文献１】特開２００８−３３６５９号公報
【発明の概要】
【発明が解決しようとする課題】
【０００５】
プリンタが、ジョブ情報シートを印刷物とセットで出力することで上述した問題点を防ぐことができる。
【０００６】
しかしながらジョブ情報シートが印刷されることにより、顧客からのオーダーに基づく印刷物が影響を受け、顧客が所望とする印刷物を出力できないおそれがあった。
【０００７】
通常、顧客からのオーダーには出力物の最終形態や用紙種類の指定が含まれるが、ジョブ情報シートは印刷作業を円滑に進めるためのシートであるため顧客からのオーダーには含まれない。よって、ジョブ情報シート用の印刷設定もオーダーにおいて指定されていない。
【０００８】
ここで確実にジョブ情報シートを印刷するために、顧客からのオーダーで指定された用紙種類を利用する。顧客からのオーダーで指定された用紙は、当然のことながら画像形成装置にセットされているため、この用紙種類と同じ用紙を使うことでジョブ情報シートも確実に印刷できる。
【０００９】
しかしながら、例えば、ニアラインフィニッシャにセットされる印刷物にタブ紙が使われる場合において、ジョブ情報シートがニアラインフィニッシャにセットされる印刷物と同じ給紙カセットを使用して印刷されると、ジョブ情報シートのためにタブ紙が使用される。
【００１０】
その結果、ニアラインフィニッシャにセットされる印刷物にて使うはずであったタブ紙がジョブ情報シートによって使用されてしまうため、タブ紙にズレが生じ顧客が所望とする印刷物を出力できなくなるおそれがあった（図９、図１０）。
【００１１】
なお、タブ紙とは用紙の端に耳と呼ばれる印字領域を持つ特殊用紙である。Ａ４用のタブ紙であれば、紙のサイズは耳の分だけＡ４サイズより大きくなるが、アプリケーションや画像形成装置で扱い場合のタブ紙の用紙サイズといえば対応した用紙サイズ（すなわちＡ４）をあらわす。
【００１２】
また、紙の取り違えや設定ミスを防ぐために「ジョブ情報シート」にニアラインフィニッシャにセットされる印刷物の先頭ページの画像が印刷されることもある。この際、ニアラインフィニッシング用の印刷物の先頭に合紙が挿入される場合、ジョブ情報シートに印刷する画像がなくなってしまい、紙の取り違えなどを防止できなくなるおそれがあった。
【課題を解決するための手段】
【００１３】
上記課題を解決するため本願発明は、本文を含む印刷物を印刷するための第１印刷ジョブを生成する第１の生成手段と、前記第１印刷ジョブの１ページ目の印刷に使用する紙がタブ紙でなければ、当該１ページ目の印刷に使用する紙のサイズと同じサイズの紙に印刷後処理装置が前記第１印刷ジョブの印刷物に対して実行する後処理を特定するための関連情報を印刷する第２印刷ジョブを生成し、前記第１印刷ジョブの１ページ目の印刷に使用する紙がタブ紙であれば、当該１ページ目の印刷に使用するタブ紙のサイズに基づいて決定されたサイズの前記タブ紙とは異なる種類の紙に前記関連情報を印刷する第２印刷ジョブを生成する第２の生成手段を備えることを特徴とする。
【発明の効果】
【００１４】
本発明によれば、ニアラインフィニッシング用のジョブ情報シートの印刷が、印刷データに依存しタブ紙のような特殊用紙を給紙することを防ぎ、印刷データの印刷ミスを防ぐことが可能になる。
【図面の簡単な説明】
【００１５】
【図１】パソコンの構成を示すブロック図の一例である。
【図２】パソコンのソフトウェア構成示した図の一例である。
【図３】画像形成装置の構成図の一例である。
【図４】製本アプリケーションの操作ＵＩの一例である。
【図５】製本アプリケーションの印刷指示ＵＩの一例である。
【図６】製本アプリケーションの印刷ジョブの一例である。
【図７】ジョブ情報シート作成フローチャートである。
【図８】ジョブ送信順序テーブルの一例である。
【図９】本実施例１の課題となる第１印刷ジョブの一例である。
【図１０】本実施例１の課題となるジョブ情報シートの一例である。
【図１１】本実施例１に適応可能なジョブ情報シート作成フローチャートである。
【図１２】本実施例１で作成されたジョブ情報シートの例である。
【図１３】本実施例２におけるジョブ情報シートの一例である。
【図１４】本実施例２の課題となる第１印刷ジョブの一例である。
【図１５】本実施例２の課題となるジョブ情報シートの一例である。
【図１６】本実施例２に適応可能なジョブ情報シート作成フローチャートである。
【図１７】本実施例２で作成されたジョブ情報シートの例である。
【図１８】本実施例３の課題となる第１印刷ジョブの例である。
【図１９】本実施例３の課題となるジョブ情報シートの一例である。
【図２０】本実施例３に適応可能なジョブ情報シート作成フローチャートである。
【図２１】本実施例３で作成されたジョブ情報シートの一例である。
【図２２】本実施例４に適応可能なジョブ情報シート作成フローチャートである。
【発明を実施するための形態】
【００１６】
（実施例１）
以下、本発明を実施するための最良の形態について図面を用いて説明する。
【００１７】
本発明の実施例は、実施例記載の機能を実現するソフトウェアのプログラムコードを記記憶媒体に記憶する。システムあるいは装置のコンピュータ（またはＣＰＵやＭＰＵ）によって、記憶媒体に格納されたプログラムコードを読み出し実行することによって達成される場合を含む。
【００１８】
まず前提となる技術について説明する。本発明の情報処理装置は、一般のアプリケーションによって作成されたデータを電子原稿ファイルに変換する電子原稿ライタと、その電子原稿ファイルを編集する製本アプリケーションとを含む。
【００１９】
図１は本実施例に適応可能な情報処理装置の構成を示すブロック図である。
図１において、ＣＰＵ１０１は、ＲＯＭ１０３またはハードディスク１１１からＲＡＭ１０２にロードされたＯＳや一般アプリケーション、製本アプリケーションなどのプログラムを実行し、後述するフローチャートを実現する。
ＲＡＭ１０２は、ＣＰＵ１０１の主メモリ、ワークエリア等として機能する。キーボードコントローラ（ＫＢＣ）１０５は、キーボード１０９や不図示のポインティングデバイスからのキー入力を制御する。ＣＲＴコントローラ（ＣＲＴＣ）１０６は、ＣＲＴディスプレイ１１０の表示を制御する。ディスクコントローラ（ＤＫＣ）１０７は、ブートプログラム、種々のアプリケーション、フォントデータ、ユーザファイル、後述する編集ファイル等を記憶するハードディスク（ＨＤ）１１１やフロッピー（登録商標）ディスク（ＦＤ）等とのアクセスを制御する。ＰＲＴＣ１０８は、接続されたプリンタ１０７との間の信号の交換を制御する。ＮＣ１１２はネットワークに接続されて、ネットワークに接続された他の機器との通信制御処理を実行する。
【００２０】
図２は本実施例に適応可能なパソコンのソフトウェア構成を機能モジュール毎に示した構成図である。
２０１は図１で説明した情報処理装置であり、ユーザの印刷指示に応じて印刷ジョブを生成してプリンタ２０９へ送信する。
２０２は製本アプリケーションである。本実施例ではこの製本アプリケーション２０２を使って印刷を行う。
製本アプリケーション２０２は２０３−２０６のモジュールを有している。
印刷指示部２０３は、図５に例示したユーザインターフェースを使ってユーザが印刷指示を入力し、この印刷指示に従い印刷命令を発行する。印刷指示部２０３では、出力先プリンタや印刷方法、印刷部数、ページ範囲などの印刷属性を設定する。
ジョブ作成部２０４は、印刷指示部２０３からの印刷命令に従い印刷ジョブ（第１印刷ジョブ）を作成する。なお、第１印刷ジョブは、少なくとも顧客からオーダーされた本文を含む。
ジョブ情報シート作成部２０５は、ジョブ情報シートが必要な印刷命令を受けた場合にジョブ情報シートの印刷ジョブ（第２印刷ジョブ）を生成する。なお、ジョブ情報シートが必要な印刷命令とは、ニアラインフィニッシング（印刷後処理）を行うような場合である。
ジョブ送信順序管理部２０６は、ジョブ作成部２０４、ジョブ情報シート作成部２０５により作成された印刷ジョブを管理する。ジョブ情報シート作成部２０５でジョブ情報シートの第２印刷ジョブが作成された場合、２つの印刷ジョブが製本アプリケーション２０２から出力される。
ジョブ送信順序管理部２０６はこの複数のジョブをジョブ送信部２０７に送信する。
２０７はパソコン内にあるジョブ送信部である。パソコンと画像形成装置とのインタフェースであり、一般的なプリンタドライバやプリンタスプーラが相当する。
製本アプリケーション２０２から出力された印刷ジョブは、ジョブ送信部２０７を介し画像形成装置へと送信される。なお、ジョブ送信部２０７は印刷ジョブを画像形成装置が解釈できる印刷データに変換して、送信する。２０８はネットワーク網であり、一般的なインターネットもしくはイントラネットである。情報処理装置２０１と画像形成装置２０９、フィニッシャー２１０は、双方向通信を行える。なお、ジョブ送信部２０７、第１印刷ジョブと第２印刷ジョブとを別々の印刷データとして画像形成装置へ送信しても良いし、１つの印刷データとして画像形成装置へ送信しても良い。
画像形成装置２０９は、情報処理装置２０１から送信された印刷データを印刷する。詳細は図３で説明する。２１０はニアラインフィニッシャ（印刷後処理装置）である。２０９で印刷された印刷物に、フィニッシング作業を施すことができる。フィニッシング作業とは断裁や製本など画像形成装置２０９から印刷された印刷物に適用される処理である。ニアラインフィニッシャ２１０はネットワーク２０８を介して情報の送受信をできる。
２１１はオフラインフィニッシャーである。ニアラインフィニッシャ２１０と同様に画像形成装置２０９で印刷された印刷物に、フィニッシング作業を施すことができる。２１０との違いはネットワーク２０８を利用できるかどうかである。オフラインフィニッシャー２１１はネットワーク２０８を利用することができない。
【００２１】
図３は本実施例に適応可能な画像形成装置の構成図である。
画像形成装置３０１は図２の画像形成装置２０９と同じである。
通信部３０２は情報処理装置２０１からネットワークを経由して印刷データを受け取る。プリンタ制御部３０３は画像形成装置３０１の各モジュールに処理の指示などを行い、プリンタ全体の動作を制御する。
ＲＩＰ処理部３０４は印刷データを解読してＲＩＰ（Ｒａｓｔｅｒ  Ｉｍａｇｅ  Ｐｒｏｃｅｓｓｏｒ）展開する。
データ管理部３０５は後述するジョブ記憶部３０６にＲＩＰ処理後のデータを保存し、保存されたデータの検索や取り出し、置き換えなどの管理を行う。
ジョブ記憶部３０６はＲＩＰ処理後のデータとジョブ情報シートを印刷するための印刷ジョブを保存する。
プリント処理部３０７は、ＲＩＰ処理後のデータに画像処理を行うことによって印刷シートに順次印字処理を行う。
操作部３０８は画像形成装置３０１の操作部からユーザの印刷指示を受信しプリンタ制御部へ命令を行う。
【００２２】
図４は本実施例に適応可能な製本アプリケーション２０２により提供されるＵＩ画面である。
ＵＩ画面４０１は、データの構造を示すツリー部５０２と、印刷された状態を表示するプレビュー部４０３とを含む。なおプレビュー部４０３はアプリケーションから受信したデータに基づくプレビュー画像を表示する。
ツリー部４０２には、各章に含まれるページが木構造で表示される。ツリー部４０２に表示されるページは原稿ページである。またプレビュー部４０３には、印刷ページの内容が縮小されて表示される。その表示順序は４０２の構造を反映したものである。
【００２３】
図５は製本アプリケーションにより提供される印刷指示ＵＩ５０１である。
ユーザは印刷指示ＵＩ５０１を使ってニアラインフィニッシングの実行を指定できる。
５０２はジョブ名、５０３はユーザ名を入力するための項目であり、ユーザが任意に編集できる。５０４は印刷に使用されるプリンタを選択するための項目である。５０５は印刷ジョブのジョブＩＤである。ジョブＩＤは製本アプリケーション２０２によって自動で生成され、ジョブ送信順序管理部２０６でジョブを管理するために用いられる。他のジョブＩＤと区別できる値であればユーザが任意に指定できる値でもよい。５０６は後処理を実行するニアラインフィニッシャを指定する項目である。５０７は印刷開始を指示するボタンである。
【００２４】
図６は製本アプリケーションにより生成される３ページを印刷する第１印刷ジョブ６０１とジョブ情報シートを印刷する第２印刷ジョブ６０２である。
第１印刷ジョブ６０１は、画像形成装置２０９によって印刷される。第１印刷ジョブ６０１に含まれる各ページのプレビュー画像は製本アプリケーション２０２のＵＩ表示部に表示される。第１印刷ジョブ６０１にはニアラインフィニッシャ２１０でフィニッシング処理を実行することが指定されている。実際には第１印刷ジョブ６０１のような単純な印刷物をニアラインフィニッシングで扱うことは少ないが、本発明は単純な印刷物で説明を行う。
第２印刷ジョブ６０２は、画像形成装置２０９によって印刷される。第２印刷ジョブ６０２は製本アプリケーション２０２において作成される。
第２印刷ジョブ６０２には、第１印刷ジョブ６０１との関連性を示す関連情報６０３が含まれる。関連情報６０３は印刷指示ＵＩ５０１にて設定される。図６（Ｂ）の関連情報６０３は、ジョブＩＤ、ジョブ名、ユーザ名の３つの情報で構成されている。なお、第２印刷ジョブの関連情報は、フィニッシング順序や作業工程、関連情報が埋め込まれたバーコードなど後処理を特定するための情報であれば良い。ユーザは、ジョブ情報シートに印刷された関連情報の少なくとも１つをニアラインフィニッシャに入力する。その結果、ニアラインフィニッシャは、入力された関連情報に基づいて決定されたフィニッシング処理を実行する。なお、ニアラインフィニッシャは、ユーザにより関連情報が入力される前に情報処理装置２０１から関連情報とフィニッシング処理情報とが一体となったデータを受信している。
【００２５】
次に、製本アプリケーション２０２のジョブ情報シートの印刷ジョブ（第２印刷ジョブ）の作成処理と送信処理について説明する。
【００２６】
図７は製本アプリケーションによりニアラインフィニッシングが指定された際、製本アプリケーションがジョブ情報シートの印刷ジョブ（第２印刷ジョブ）を作成するためのフローチャートである。なお本願のフローチャートの各ステップは、関連するプログラムをＣＰＵが読み出して実行することにより実現される。
まずＳ７０１において印刷指示部２０３は、印刷指示を受け取る。
次にＳ７０２において、ジョブ情報シート作成部２０５がジョブ情報シートの印字内容を取得する。印字内容は、ジョブ情報シート６０２の関連情報６０３であり、図５の５０２−５０５にて設定された情報がメモリに記憶されているので、当該情報をメモリから取得する。
次にＳ７０３においてジョブ情報シート作成部２０５が、Ｓ７０２で取得した情報に基づいてジョブ情報シートの印刷ジョブ（第２印刷ジョブ）を作成する。
次にＳ７０４においてジョブ送信順序管理部２０６は、ジョブ送信順序を登録する。ジョブ送信順序管理部２０６が扱う印刷ジョブは図８で説明する。最後にＳ７０５でジョブ送信順序管理部２０６が、ジョブ送信部２０７に印刷ジョブを送信する。
【００２７】
図８はジョブ送信順序テーブルである。
ジョブ送信順序テーブルはジョブ送信順序管理部２０６により使用され、出力順序８０１とジョブＩＤ８０２とが関連付けられている。図８ではジョブＩＤ：０００１は出力順序が１番目であり、ジョブＩＤ：０００２は出力順序が２番目である。
【００２８】
図６のジョブと関連付けると、ジョブ情報シート６０２の第２印刷ジョブのジョブＩＤが「０００１」であり、印刷物６０１の第１印刷ジョブのジョブＩＤが「０００２」である。
【００２９】
ジョブ送信順序管理部２０６はＳ７０５において、出力順序８０１の順番でジョブ送信部２０７に印刷ジョブを送るため、画像形成装置２０９は第２印刷ジョブ６０２、第１印刷ジョブの順番で印刷する。ここで画像形成装置２０９がフェイスダウンにて印刷物を出力する場合、先にジョブ情報シートが印刷され、その次に第１印刷ジョブが処理されるので、ジョブ情報シートが印刷物の先頭に出力されることになり、ユーザはジョブ情報シートを確認しやすくなる。一方、画像形成装置２０９がフェイスアップにて印刷物を出力する場合、第１印刷ジョブが先に出力されても良い。
【００３０】
以上のように、製本アプリケーション２０２の印刷指示でジョブ情報シートが作成される。
【００３１】
次に課題について詳細に説明する。
【００３２】
図９において、第１印刷ジョブ９０１には、印刷された後にニアラインフィニッシングの実行が指定されている。また、図９から明らかなように、１ページ目と３ページ目にタブ紙９０２と９０３を挿入することが指定されている。なお図９は、顧客が希望する印刷結果も表している。
【００３３】
図１０は本実施例の課題となるジョブ情報シートの例である。
図１０は図９の第１印刷ジョブ９０１とジョブ情報シートの第２印刷ジョブの両者が印刷された結果を示す。
ジョブ情報シート１００１と第１印刷ジョブ９０１の印刷物１００２が画像形成装置によって印刷される。
ジョブ情報シート１００１はタブ紙に印刷されている。これはジョブ情報シートの第２印刷ジョブが作成される際に、ジョブ作成部２０４により生成される第１印刷ジョブの印刷設定を参照することに起因する。
ジョブ情報シートは顧客からオーダーされないため、当然のことながらジョブ情報シート用の印刷設定もオーダーにおいて指定されていない。そのため製本アプリケーション２０２は、顧客からのオーダーで指定されたジョブ作成部２０４で使用される印刷設定をジョブ情報シートの第２印刷ジョブにも適用することで確実な印刷を実現する。
つまり、顧客からのオーダーで指定された用紙は画像形成装置にセットされているため、この用紙と同じ用紙を使うことでジョブ情報シートも確実に印刷される。
ここで製本アプリケーションが第１印刷ジョブの１枚目の用紙の給紙部と同じ給紙部から用紙を給紙して、ジョブ情報シートを印刷することを指定した場合、ジョブ情報シート１００１の印刷用紙として図９の９０２にて使用されるタブ紙が使用される。通常タブ紙は、例えば１００１、１００３、１００４のようなタブ位置の異なる複数のタブ紙で構成される１組として画像形成装置にセットされている。
【００３４】
よって、ジョブ情報シートの第２印刷ジョブの印刷用紙として１組内の先頭のタブ紙が使われてしまったため、ジョブ情報シートの第２印刷ジョブの次に印刷される第１印刷ジョブの１枚目は同じ組内の２番目のタブ紙が使用される。
【００３５】
その結果、顧客は本来図９のような印刷結果を注文したにも関わらず、図１０のような印刷結果となるため、顧客が希望する印刷を実現できなくなる。
【００３６】
図１１（Ａ）は図７のジョブ情報シート作成フローチャートにＳ１１０１の用紙サイズ選択のサブフローを加えたものである。
図７と同様に製本アプリケーション２０２でニアラインフィニッシングの実行が指示された際のジョブ情報シートを印刷するためのフローチャートである。
図１１（Ａ）のＳ７０１−Ｓ７０５は図７と同様であるため説明を割愛する。
Ｓ７０２において、ジョブ情報シート作成部２０５がジョブ情報シートの印字内容を取得した後、Ｓ１１０１で用紙サイズの選択処理を行う点が特徴である。
【００３７】
図１１（Ｂ）はＳ１１０１の詳細フローチャートである。
ジョブ情報シート作成部２０５は、ジョブ情報作成部において生成された第１印刷ジョブを解析し、第１印刷ジョブの先頭ページがタブ紙を使用する設定になっているか否かを判定する（Ｓ１１０２）。
Ｓ１１０２においてタブ紙であると判定された場合、ジョブ情報シート作成部２０５は、タブ紙の用紙サイズを取得する（Ｓ１１０３）。タブ紙にも定型のサイズが定められており、Ａ４用のタブ紙、Ｂ５用のタブ紙などが存在する。このため例えば、先頭ページ９０２としてＡ４用のタブ紙が設定されていれば、ジョブ情報シート作成部２０５はＡ４サイズを取得する。なお、先頭ページ９０２としてＡ４用のタブ紙が設定されていれば、２ページ目はＡ４サイズで印刷される可能性が極めて高い。
ジョブ情報シート作成部２０５は、タブ紙のサイズに基づいてジョブ情報シートに使用する用紙サイズを決定する（Ｓ１１０４）。例えば、先頭ページにＡ４用のタブ紙が設定されている場合、ジョブ情報シート作成部２０５は、Ｓ１１０４にて用紙サイズをＡ４普通紙と決定する。なお、ジョブ情報シート作成部２０５が、普通紙を決定している点は、普通紙は他の紙（薄紙、厚紙）と比較して画像形成装置にセットされている可能性が極めて高いことに起因する。
ジョブ情報シート作成部２０５は、Ｓ１１０４で定めた用紙サイズの普通紙を給紙できる給紙部を決定し（Ｓ１１０５）、その給紙部から用紙が給紙されるような第２印刷ジョブを生成する。詳細には、ジョブ情報シート作成部２０５が画像形成装置の各給紙部にセットされている用紙を認識することでＳ１１０５の処理が実現される。この結果、ジョブ情報シート作成部２０５は、第１印刷ジョブの１ページ目とは異なる種類の紙を前記ジョブ情報シート用に指定できる。
【００３８】
一方、Ｓ１１０２においてタブ紙でないと判定された場合、ジョブ情報シート作成部２０５は、第１印刷ジョブの先頭ページと同じサイズをジョブ情報シートの用紙サイズとして決定し（Ｓ１１０４）、上述したＳ１１０５の処理へと進む。
【００３９】
図１２は図１１のフローチャートを経て生成された第１印刷ジョブとジョブ情報シートの第２印刷ジョブにより出力された印刷結果の例である。
図１０のジョブ情報シート１００１はタブ紙に印刷されていたが、図１１のフローチャートを実行することによりジョブ情報シート１２０１はタブ紙ではない紙に印刷される。
印刷物１２０２を印刷するための第１印刷ジョブでは、１ページ目１００３と３ページ目１００４とにタブ紙を給紙する設定であった。しかし、図１１のフローチャートを実行することでタブ紙のズレを防止でき、図９のように顧客が希望する印刷物と同一の印刷結果を出力すると共にジョブ情報シートも印刷することが可能となった。
このため顧客が注文した結果を印刷するための第１印刷ジョブ内にタブ紙が含まれている場合であっても、顧客が希望する印刷物を出力でき、かつ、ジョブ情報シートも印刷されるため、ニアラインフィニッシングの利便性を向上させることが可能となる。
【００４０】
以上のように本実施例では第１印刷ジョブの１枚目にタブ紙を給紙する例で説明をした。本実施例はタブ紙のみに限定するものではなく、順番に使用する異なる複数の紙で構成された用紙組（例えば異なる色紙で構成される合紙の組）にも有効である。
（実施例２）
実施例１では、ジョブ情報シートには関連情報６０３のみを印刷する例で説明した。ジョブ情報シートには第１印刷ジョブの印刷物との関連性を明確にするために第１印刷ジョブの画像を印刷するする方法もある。実施例２ではジョブ情報シートに第１印刷ジョブの画像を印刷する場合の課題を解決する。
【００４１】
本実施例は、図１−図６、図８に関しては実施例１と同様であるので説明を割愛する。
【００４２】
第１印刷ジョブ６０１の印刷物と第２印刷ジョブにより出力されるジョブ情報シート６０２の関連性をよりわかりやすくするために、ジョブ情報シートに第１印刷ジョブの一部を印刷することがある。
【００４３】
図１３は本実施例により印刷されるジョブ情報シートの例である。
１３０１はジョブ情報シートをあらわす。第１印刷ジョブの一部を示すサムネイル１３０３がジョブ情報シート１３０１に含まれる。ジョブ情報シート１３０１は図６の第１印刷ジョブ６０１に対して作成される。ジョブ情報シート１３０１は関連情報１３０２とサムネイル１３０３で構成される。
この第１印刷ジョブの１ページ目のサムネイル１３０３がジョブ情報シートに含まれることにより、ユーザがジョブ情報シート１３０１を見たときに、当該ジョブ情報シートに関連する印刷物（図６の第１印刷ジョブ６０１の印刷物）を誤る可能性を低減できる。
【００４４】
次に実施例２の課題について説明する。
【００４５】
図１４において、第１印刷ジョブ１４０１には、１ページ目に合紙１４０２を挿入することが指定されており、図６の第１印刷ジョブ６０１の１ページ目は２ページ目１４０３となる。なお、図１４の１４０１は第１印刷ジョブ１４０１の印刷物も表す。
【００４６】
図１５は本実施例の課題となるジョブ情報シートの例である。
図１５は図１４の第１印刷ジョブ１４０１から生成された第２印刷ジョブにより印刷されたジョブ情報シートである。ジョブ情報シート１５０１はジョブ情報シート１３０１と同様に関連情報１５０２とサムネイル１５０３で構成されている。サムネイル１５０３は、第１印刷ジョブの印刷データの一部をサムネイルとして埋め込むが、第１印刷ジョブの１ページ目である１４０２が画像を含まない合紙であるため、印字するデータを持たない。よってサムネイル１５０３は空白となってしまう。
これでは図１３で説明したようなジョブ情報シートをユーザが見たときに、そのジョブ情報シートと関連する第１印刷ジョブの印刷物を誤る可能性を低減できないおそれがある。
【００４７】
図１６（Ａ）は図７のフローチャートにＳ１６０１のサムネイル選択のサブフローを加えたものである。
【００４８】
図１６のフローチャートは、図７と同様に製本アプリケーション２０２でニアラインフィニッシング印刷指示が行われた際に実行される。
【００４９】
図１６（Ａ）のＳ７０１−Ｓ７０５は図７と同様であるため説明を割愛する。
Ｓ７０２において、ジョブ情報シート作成部２０５がジョブ情報シートの印字内容を取得した後、Ｓ１６０１でサムネイルの選択処理を行う。
【００５０】
図１６（Ｂ）はＳ１６０１の詳細フローチャートである。
【００５１】
ジョブ情報シート作成部２０５は、第１印刷ジョブの情報を取得する（Ｓ１６０２）。ここで取得される情報には、第１印刷ジョブの印刷設定や印字データである。印刷設定や印字データはＲＡＭ１０２に展開され製本アプリケーション２０２が自由に参照、変更が可能である。
【００５２】
Ｓ１６０３とＳ１６０６は対になる繰り返し処理である。ページ数に応じて繰り返し処理が行われ、ページ番号Ｎをインクリメント引数とする。ページ番号Ｎの初期値は１である。すなわち最初のループでは第１印刷ジョブの１ページ目を対象とする（例えば図１４の１４０２）。
【００５３】
次にジョブ情報シート作成部２０５は、Ｓ１６０４においてページ番号Ｎが最終ページを超えているかどうかを判定する。これはプログラムの終了判定である。Ｎが第１印刷ジョブの最大ページ数を超えていた場合、処理を続ける必要がないのでＳ１６０７に進む。
【００５４】
一方、Ｓ１６０４において最終ページを超えていない場合はＳ１６０５に進む。
【００５５】
Ｓ１６０５においてジョブ情報シート作成部２０５は、Ｎで指し示すページに印字データがあるかどうかを判定する。具体的にはジョブ情報シート作成部２０５が、第１印刷ジョブのＮページに関する画像オブジェクトまたは文字オブジェクトの有無を判定することでＳ１６０５の処理が実現される。印字データがないと判定された場合、サムネイルを作成できないので、ジョブ情報シート作成部２０５はＳ１６０６に進みページ番号Ｎの値をひとつ繰り上げＳ１６０３に戻る。すなわち次のページの探索を行う。
【００５６】
Ｓ１６０５においてＮで指し示すページに印字データがあった場合、ジョブ情報シート作成部の処理はＳ１６０７に進む。
【００５７】
Ｓ１６０７においてジョブ情報シート作成部２０５は、Ｓ１６０５で印字データがあると判断されたページをサムネイルとして使用する印字データとして決定する。
【００５８】
またＳ１６０４においてページ番号Ｎが最終ページを越えたことにより、Ｓ１６０７の処理が実行される場合、全ページにおいて印字データがないので、ジョブ情報シート作成部２０５はサムネイルなしで第２印刷ジョブを生成することを決定する。または白紙のサムネイルとする。ジョブ情報シート作成部の処理は、Ｓ１６０７からはＳ７０３に進み、ジョブ情報シートの第２印刷ジョブが生成される。
【００５９】
図１７は本実施例で作成されたジョブ情報シート１７０１の例である。
図１７は図１４の印刷物１４０１を印刷するための第１印刷ジョブに対して図１６のフローチャートを実行することで印刷されるジョブ情報シート１７０１である。図１５のジョブ情報シート１５０１のサムネイル１５０３は空白であったが、ジョブ情報シート１７０１におけるサムネイル１７０３は第１印刷ジョブの２ページ目１４０３がサムネイルとして使用される。図１４の１ページ目１４０２が印字データを持たないため、図１６のＳ１６０５において２ページ目１４０３をサムネイルとして使用すると判断されたことにより、図１７の１７０１が生成される。
【００６０】
以上のように本実施例では印刷データの１ページ目に合紙を給紙する例で説明をしたが、本実施例は合紙のみに限定するものではなく、印刷データの１ページ目に印字するデータがない場合（例えばタブ紙や白紙挿入）にも有効である。
【００６１】
実施例２によれば、ジョブ情報シートに第１印刷ジョブの一部をサムネイルとして印刷する場合に、第１印刷ジョブの先頭ページに印字データが見つからない場合にも、ページをたどりサムネイルを印刷できる。
【００６２】
このため印刷データの先頭ページの内容によらず、ジョブ情報シートに第１印刷ジョブのサムネイルを印刷することが可能となり、ニアラインフィニッシングの利便性が向上する。
（実施例３）
実施例３ではジョブ情報シートを印刷することによりパフォーマンスの劣化が起こらないようにすることを目的とする。
【００６３】
本実施例は、図１−図６、図８に関しては実施例１と同様であるので説明を割愛する。
【００６４】
画像形成装置において複数ページを連続して印刷する場合、複数ページで使用する用紙の坪量が異なると印刷完了までの時間が長くなるおそれがある（以降パフォーマンスが劣化するという表現にする）。これは画像形成装置が印刷の定着などのために温度調節を行うためである。つまり、印刷する用紙によって適切な温度が変わり、坪量の異なる用紙を印刷することで温度調節が必要となるためである。そのため坪量の同じ用紙を連続して使った方がパフォーマンスの向上になる。これは１ジョブ内に限らず、次のジョブで坪量が変わった場合にも影響する。坪量とは単位面積当たりの重さである。坪量の設定は以降、用紙種別と同列に扱う。
【００６５】
図１８は本実施例の課題となる第１印刷ジョブの例である。
第１印刷ジョブ１８０１には、ニアラインフィニッシングの実行が指定されている。図１８では１ページ目１８０１に厚紙のＡ４タブ紙を用いることが指摘されており、２ページ目以降は厚紙を用いる。なお、図１８は第１印刷ジョブの印刷物も表している。
第１印刷ジョブの１枚目がタブ紙を使う場合、その１枚目のタブ紙のサイズの普通紙をジョブ情報シート用に選択することを実施例１において説明した。
そのため図１８の第１印刷ジョブに対するジョブ情報シートは図１９に示すとおり普通紙に印刷されることになる。
【００６６】
しかしながら、図１９のように普通紙を使用すると、ジョブ情報シート１９０１の印刷と第１印刷ジョブ１８０１の印刷のために、画像形成装置２０９は普通紙用に温度調節等を行なった後、厚紙用に再度の温度調節を行なう必要があります。
【００６７】
その結果、印刷パフォーマンスの劣化をまねいてしまうおそれがあります。
【００６８】
図２０は本実施例に適応可能な用紙種別を変更するジョブ情報シート作成フローチャートである。
図２０（Ａ）は図７のジョブ情報シート作成フローチャートにＳ２００１の用紙種別選択のサブフローを加えたものである。図７と同様に製本アプリケーション２０２でニアラインフィニッシング印刷指示が行われた際のジョブ情報シート作成フローチャートである。
図２０（Ａ）のＳ７０１−Ｓ７０５は図７と同様であるため説明を割愛する。
Ｓ７０２において、ジョブ情報シート作成部２０５がジョブ情報シートに印字内容を取得した後、Ｓ２００１で用紙種別の選択処理を行う点が特徴である。
図２０（Ｂ）はＳ２００１の詳細フローチャートである。
ジョブ情報シート作成部２０５は、Ｓ２００２において第１印刷ジョブの１ページ目が普通紙を使うか否かを判断する。一例として、第１印刷ジョブは、図１８の第１印刷ジョブ１８０１である。
ジョブ情報シート作成部２０５は、第１印刷ジョブの１ページ目が普通紙でないと判定した場合、Ｓ２００３に処理を進める。
Ｓ２００３においてジョブ情報シート作成部２０５は第１印刷ジョブの１ページ目の用紙種別を取得し、その用紙種別をジョブ情報シ−トの用紙種別として決定する（Ｓ２００４）。
【００６９】
図２１は本実施例で作成されたジョブ情報シート２１０１の例である。
図２１は図１８の第１印刷ジョブ１８０１を図２０の処理フローを使用し作成されるジョブ情報シートである。図１９のジョブ情報シートは普通紙であったが、ジョブ情報シート２１０１は厚紙に印刷される。その結果、上述したようなパフォーマンスの劣化を防ぐことが可能となる。
本実施例３によれば、本発明は製本アプリケーションからのジョブ情報シート印刷において、ジョブ情報シートと少なくとも第１印刷ジョブの１ページ目の用紙種別が同じとなる。このため画像形成装置が、用紙種別が変わることにより実行する処理を減らすことができ、印刷パフォーマンスの低下を防ぐことが可能となる。
（実施例４）
実施例４では、実施例１−３を併用する例を説明する。
【００７０】
本実施例は、図１−図６、図８、図１１（Ｂ）、図１６（Ｂ）、図２０（Ｂ）に関しては実施例１と同様であるので説明を割愛する。
【００７１】
図２２は本実施例に適応可能な用紙サイズ、サムネイル、用紙種別を変更するジョブ情報シート作成フローチャートである。
図２２は図７のジョブ情報シート作成フローチャートにＳ２２０１の用紙サイズ選択のサブフロー、Ｓ２２０２のサムネイル選択のサブフロー、Ｓ２２０３の用紙種別選択のサブフローを加えたものである。
このように実施例４は実施例１−３を合わせた実施形態である。本実施例ではＳ２２０１、Ｓ２２０２、Ｓ２２０３の順序であるが、どのような組み合わせ順序、または一部の組み合わせだけでも処理を行える。
【００７２】
なお、実施例１では、Ｓ１１０４ではタブ紙のサイズからジョブ情報シートの用紙サイズを決定したが、例えばタブ紙を使用しない他のページの用紙を第１印刷ジョブから認識し、その用紙と同じ種類の用紙をジョブ情報シートの用紙として決定しても良い。
【００７３】
また、本発明は、以下の処理を実行することによっても実現される。即ち、上述の実施形態の機能を実現するソフトウェア（プログラム）を、ネットワークまたは各種記憶媒体を介してシステム或いは装置に供給し、そのシステム或いは装置のコンピュータ（またはＣＰＵやＭＰＵ等）がプログラムを読み出して実行する処理である。この場合、そのプログラム、及び該プログラムを記憶した記憶媒体は本発明を構成することになる。
【符号の説明】
【００７４】
１０１  ＣＰＵ
１０２  ＲＡＭ
１０３  ＲＯＭ
【図１】
2010277148.tif 000003
【図２】
2010277148.tif 000004
【図３】
2010277148.tif 000005
【図４】
2010277148.tif 000006
【図５】
2010277148.tif 000007
【図６】
2010277148.tif 000008
【図７】
2010277148.tif 000009
【図８】
2010277148.tif 000010
【図９】
2010277148.tif 000011
【図１０】
2010277148.tif 000012
【図１１】
2010277148.tif 000013
【図１２】
2010277148.tif 000014
【図１３】
2010277148.tif 000015
【図１４】
2010277148.tif 000016
【図１５】
2010277148.tif 000017
【図１６】
2010277148.tif 000018
【図１７】
2010277148.tif 000019
【図１８】
2010277148.tif 000020
【図１９】
2010277148.tif 000021
【図２０】
2010277148.tif 000022
【図２１】
2010277148.tif 000023
【図２２】
2010277148.tif 000024